(57)【要約】【課題】キャビネットを屋外に設置した場合にキャビネット内への雨水などの浸入を防止して防水性能を損ねることがなく、而も換気性能を向上することができるルーバーを提供する。【解決手段】ルーバーは、内ルーバー５と外ルーバー１０の２種類で構成し、夫々、枠部６，１１に外側方向に下がるように傾斜した帯状の羽根部７，１２を所定間隔で複数並設して内ルーバー５の羽根部７の傾斜面と外ルーバー１０の羽根部１２の傾斜面が同一直線上に配置されないように形成し、外ルーバー１０は羽根部１２の背面に換気口を覆うようにして防塵用のフィルタ１７を着脱可能にしている。そして、キャビネット１の開口部２に防水パッキン１８を介在させて内ルーバー５を当接させ、内ルーバー５に外ルーバー１０を重ねてこれら２つを固定する。【選択図】図２
2007173330.tif 000002
【特許請求の範囲】
【請求項１】
キャビネットの換気を行うために垂直面に形成された開口部に取り付けられ、外側方向に下がるように傾斜した羽根部が枠部に複数並設されたルーバーにおいて、前記キャビネットの開口部に重ねて取り付けたことを特徴とするルーバー。
【請求項２】
前記キャビネットの内面と外面の両面に前記開口部を挟んで取り付けたことを特徴とする請求項１に記載のルーバー。
【請求項３】
外側に配置されるルーバーの羽根部の背面と内側に配置されるルーバーの羽根部の前面との間にフィルタを介装させたことを特徴とする請求項１又は請求項２に記載のルーバー。
【請求項４】
隣り合うルーバーの羽根部の傾斜面が同一直線上に配置されないようにしたことを特徴とする請求項１乃至請求項３の何れかに記載のルーバー。
【発明の詳細な説明】
【技術分野】
【０００１】
本発明は、キャビネットの垂直面に取り付けられて換気を行うルーバーに関する。
【背景技術】
【０００２】
一般にルーバーは外側方向に下がるように傾斜した帯状の羽根部を枠部に所定間隔で複数並設して形成され、キャビネットの垂直面に形成された換気用の開口部に取り付けられるが、このままでキャビネットを屋外に設置して使用すると内部に雨水が浸入するため、屋外で使用する場合にはルーバーを覆うように下部に換気口を有するフードを取り付けて雨水の浸入を防止するようになっていた（例えば、特許文献１、特許文献２参照。）。
【０００３】
【特許文献１】特許第３４６６１０４号公報
【特許文献２】特開２００２−３４０３８０号公報
【発明の開示】
【発明が解決しようとする課題】
【０００４】
そのため、従来の屋外に設置されるルーバーはフードにより空気の流れが妨げられ、換気性能が低下するという問題があった。
【課題を解決するための手段】
【０００５】
本発明は、請求項１に記載の発明によれば、キャビネットの換気を行うために垂直面に形成された開口部に取り付けられ、外側方向に下がるように傾斜した羽根部が枠部に複数並設されたルーバーにおいて、キャビネットの開口部に重ねて取り付けたことを特徴とする。
【０００６】
請求項２に記載の発明によれば、請求項１に記載のルーバーにおいて、キャビネットの内面と外面の両面に開口部を挟んで取り付けたことを特徴とする。
【０００７】
請求項３に記載の発明によれば、請求項１又は請求項２に記載のルーバーにおいて、外側に配置されるルーバーの羽根部の背面と内側に配置されるルーバーの羽根部の前面との間にフィルタを介装させたことを特徴とする。
【０００８】
請求項４に記載の発明によれば、請求項１乃至請求項３の何れかに記載のルーバーにおいて、隣り合うルーバーの羽根部の傾斜面が同一直線上に配置されないようにしたことを特徴とする。
【発明の効果】
【０００９】
請求項１に記載の発明によれば、キャビネットを屋外に設置した場合にキャビネット内への雨水などの浸入を防止して防水性能を損ねることがなく、而も開口部を通過する空気の流れを塞がないので換気性能を向上するという効果がある。
【００１０】
請求項２に記載の発明によれば、請求項１に記載の発明の効果に加えて、キャビネットからの突出量を少なくすることができ、外観を向上することができるという効果がある。
【００１１】
請求項３に記載の発明によれば、請求項１又は請求項２に記載の発明の効果に加えて、強風などにより吹き上げられる雨水の進入を防止して防水性能を向上することができるという効果がある。
【００１２】
請求項４に記載の発明によれば、請求項１乃至請求項３の何れかに記載の発明の効果に加えて、強風などにより吹き上げられて外側のルーバーの羽根部に沿って流れ上がる雨水が内側のルーバーの羽根部に連続して流れ上がらないようにして防水性能を向上することができるという効果がある。
【発明を実施するための最良の形態】
【００１３】
ルーバーは、内ルーバーと外ルーバーの２種類で構成し、夫々、枠部に外側方向に下がるように傾斜した帯状の羽根部を所定間隔で複数並設して内ルーバーの羽根部の傾斜面と外ルーバーの羽根部の傾斜面が同一直線上に配置されないように形成し、外ルーバーは羽根部の背面に換気口を覆うようにして防塵用のフィルタを着脱可能にしている。そして、キャビネットの開口部に防水パッキンを介在させて内ルーバーを当接させ、内ルーバーに外ルーバーを重ねてこれら２つを固定する。
【実施例１】
【００１４】
本発明に係るルーバーの実施例１を図１〜図３の添付図面に基づいて説明する。
【００１５】
図１に示すように通信機器や電気機器などを収納するためのキャビネット１を換気するために垂直面である左右側面に形成された開口部２に取り付けられるルーバーは、開口部２の外面に取り付けられる内ルーバー５と、内ルーバー５に重ねて取り付けられたり、開口部２に直接取り付けられる外ルーバー１０の２種類で構成している。
【００１６】
内ルーバー５はキャビネット１の外面に当接する枠部６と、外側方向に下がるように傾斜して所定間隔で枠部６に複数並設された帯状の羽根部７とで形成し、枠部６には取付ネジ２０が貫通する貫通孔８が形成されている。
【００１７】
また、外ルーバー１０は内ルーバー５の枠部６又はキャビネット１の外面に選択的に当接される枠部１１と、外側方向に下がるように傾斜して所定間隔で枠部１１に複数並設された帯状の羽根部１２とで形成し、羽根部１２は図２に示すように内ルーバー５の羽根部７とずらして傾斜面が同一直線上に配置されないように形成している。また、枠部１１の下側面にフィルタ枠１６が挿入される挿入孔１３が形成されている。フィルタ枠１６は防塵用のフィルタ１７が交換可能に取り付けられ、枠部１１の挿入孔１３に挿入されてフィルタ１７が羽根部１２の背面に設けられ、換気口全体を覆うように着脱可能に取り付けられている。従って、フィルタ１７は内ルーバー５と外ルーバー１０を重ねて取り付けたときに外ルーバー１０の羽根部１２の背面と内ルーバー５の羽根部７の前面との間に介装されることになる。
【００１８】
このように形成されたルーバーをキャビネット１に取り付けるには、キャビネット１の開口部２の外側に枠状の防水パッキン１８を介在させて内ルーバー５を当接させ、更に内ルーバー５に外ルーバー１０を重ねて当接させる。それから、キャビネット１の開口部２の周囲に形成された取付孔３に内側から取付ネジ２０を挿通させ、防水パッキン１８に形成した貫通孔１９と内ルーバー５の貫通孔８に順に取付ネジ２０を貫通させ、外ルーバー１０の背面に形成したネジ穴１４に螺着することにより固定される。
【００１９】
こうして内ルーバー５と外ルーバー１０を２重にすることで雨水は外ルーバー１０の羽根部１２に当たり、羽根部１２の傾斜に沿ってキャビネット１の外側に排出する。また、強風などにより吹き上げられて羽根部１２の間から進入した雨水もフィルタ１７に当たり、フィルタ１７を伝って挿入孔１３から排出することができる。更にフィルタ１７を通過して進入した水は内ルーバー５の羽根部７に当たり、羽根部７の傾斜に沿って流れ落ち、外ルーバー１０の挿入孔１３から排出される。また、外ルーバー１０の羽根部１２と内ルーバー５の羽根部７が同一直線上に配置されないように形成しているので強風などにより外ルーバー１０の羽根部１２に沿って流れ上がった水がフィルタ１７を通過しても内ルーバー５の羽根部７に連続して流れ上がらないのでキャビネット１内への水の浸入を防ぐことができ、高い防水性能を発揮することができる。また、キャビネット１と内ルーバー５の隙間は防水パッキン１８が設けられているので雨水の進入を防止する。以上のことから従来のフードを取り付ける構造と比較して防水性能を損なうことがなく、而も空気の流れは塞がないので換気性能を向上することができる。尚、内ルーバー５にファンを取り付けて強制換気することにより更に換気性能を向上させることができる。
【００２０】
また、キャビネット１を屋内に設置する場合や建物の軒下に設置する場合などであまり防水性能が必要でない場合は、図３に示すようにキャビネット１の開口部２に外ルーバー１０だけを取り付けてもよい。外ルーバー１０はキャビネット１の開口部２に枠状の防水パッキン１８を介在させて当接させ、キャビネット１の内側から取付孔３に取付ネジ２０を挿通させ、防水パッキン１８の貫通孔１９に貫通させて外ルーバー１０のネジ穴１４に螺着して固定する。
【００２１】
尚、本実施例では内ルーバーと外ルーバーの２つのルーバーを重ねて取り付けるようにしたが、３つ以上のルーバーを重ねて取り付けることも可能である。また、外ルーバーの枠部に下方向からフィルタ枠を挿入してフィルタを取り付けるようになっているが、フィルタの取付方法について限定はなく、また、内ルーバー及び外ルーバーの取り付けをネジにより行っているが嵌合させて取り付けるなど取付方法について限定はなく、ルーバーの取り付け位置についてもキャビネットの左右側面に取り付けているが、扉にも取り付けることができ、その他の形状及び構造についても本発明の趣旨を逸脱しない範囲において適宜に変更して実施することも可能である。
【実施例２】
【００２２】
本発明に係るルーバーの実施例２を図４〜図６の添付図面に基づいて説明する。
【００２３】
図３に示すように通信機器や電気機器などを収納するためのキャビネット３１を換気するために垂直面である左右側面に形成された開口部３２に取り付けられるルーバーは、開口部３２の内面に取り付けられる内ルーバー３５と、開口部３２の外面に取り付けられる外ルーバー４０の２種類で構成している。
【００２４】
内ルーバー３５はキャビネット３１の内面に当接する枠部３６と、外側方向に下がるように傾斜して所定間隔で枠部３６に複数並設された羽根部３７とで形成し、枠部３６には取付ネジ５０が貫通する貫通孔３８が形成されている。
【００２５】
また、外ルーバー４０はキャビネット３１の外面に当接する枠部４１と、外側方向に下がるように傾斜して所定間隔で枠部４１に複数並設された帯状の羽根部４２とで形成し、羽根部４２は図５に示すように内ルーバー３５の羽根部３７とずらして傾斜面が同一直線上に配置されないように形成している。また、枠部４１の下側面にフィルタ枠４６が挿入される挿入孔４３が形成されている。フィルタ枠４６は防塵用のフィルタ４７が交換可能に取り付けられ、枠部４１の挿入孔４３に挿入されてフィルタ４７が羽根部４２の背面に設けられ、換気口全体を覆うように着脱可能に取り付けられている。従って、フィルタ４７は内ルーバー３５と外ルーバー４０を重ねて取り付けたときに外ルーバー４０の羽根部４２の背面と内ルーバー３５の羽根部３７の前面との間に介装されることになる。
【００２６】
このように形成されたルーバーをキャビネット３１に取り付けるには、キャビネット３１の開口部３２の内面に枠状の防水パッキン４８を介在させて内ルーバー３５を当接させ、キャビネット３１の開口部３２の外面に同様に防水パッキン４８を介在させて外ルーバー４０を当接させる。それから、キャビネット３１の内側から内ルーバー３５の貫通孔３８、防水パッキン４８の貫通孔４９、キャビネット３１の取付孔３３、防水パッキン４８の貫通孔４９と順に取付ネジ５０を貫通させ、外ルーバー４０の背面に形成したネジ穴４４に螺着することにより固定される。
【００２７】
こうしてキャビネット３１の開口部３２を挟んで内ルーバー３５と外ルーバー４０を２重にすることでキャビネット３１の外側への突出量を少なくすることができて外観を向上できる。また、実施例１と同様にキャビネット内への雨水の浸入を防止することができるので従来のフードを取り付ける構造と比較して防水性能を損なうことがなく、而も空気の流れを塞がないので換気性能を向上することができる。尚、内ルーバー３５にファンを取り付けて強制換気することにより更に換気性能を向上させることができる。
【００２８】
また、キャビネット３１を屋内に設置する場合や建物の軒下に設置する場合などであまり防水性能が必要でない場合は、図６に示すようにキャビネット３１の開口部３２に外ルーバー４０だけを取り付けてもよい。外ルーバー４０はキャビネット３１の開口部３２に枠状の防水パッキン５１を介在させて当接させ、キャビネット３１の内側から取付孔３３に取付ネジ５０を挿通させ、防水パッキン４８の貫通孔４９に貫通させて外ルーバー４０のネジ穴４４に螺着して固定する。
【００２９】
尚、本実施例では内ルーバーと外ルーバーの２つのルーバーが重なるように取り付けたが、３つ以上のルーバーが重なるように取り付けることも可能である。また、外ルーバーの枠部に下方向からフィルタ枠を挿入してフィルタを取り付けるようになっているが、フィルタの取付方法について限定はなく、また、内ルーバー及び外ルーバーの取り付けをネジにより行っているが嵌合させて取り付けるなど取付方法について限定はなく、ルーバーの取り付け位置についてもキャビネットの左右側面に取り付けているが、扉にも取り付けることができ、その他の形状及び構造についても本発明の趣旨を逸脱しない範囲において適宜に変更して実施することも可能である。
【図面の簡単な説明】
【００３０】
【図１】本発明の実施例１に係るルーバーを示す斜視図である。
【図２】本発明の実施例１に係るルーバーを示す縦断面図である。
【図３】本発明の実施例１に係るルーバーを示す斜視図である。
【図４】本発明の実施例２に係るルーバーを示す斜視図である。
【図５】本発明の実施例２に係るルーバーを示す縦断面図である。
【図６】本発明の実施例２に係るルーバーを示す斜視図である。
【符号の説明】
【００３１】
１    キャビネット
２    開口部
５    内ルーバー
６    枠部
７    羽根部
１０    外ルーバー
１１    枠部
１２    羽根部
【図１】
2007173330.tif 000003
【図２】
2007173330.tif 000004
【図３】
2007173330.tif 000005
【図４】
2007173330.tif 000006
【図５】
2007173330.tif 000007
【図６】
2007173330.tif 000008